(57)【特許請求の範囲】
【請求項１】
二つ割された受体と蓋体の一端同士を枢着して開閉自在とし、上記受体又は蓋体の何れか一方の遊端部には係止受部が設けられ、且つ、他方には、上記係止受部に係止可能な係止部が形成されてなり、これら受体と蓋体を竪樋に閉め付けて抱持させる構造の竪樋支持具において、
上記係止部は、上記係止受部に対して係止力の異なる複数の係止爪を設け、上記蓋体を閉め込む程、その係止力を弱めるようにしたことを特徴にしている竪樋支持具。
【請求項２】
請求項１において、
上記係止爪は、上記受体又は蓋体の遊端側に向けて多数に形成され、その係止力を異なるようにしている竪樋支持具。
【請求項３】
請求項１又は２の何れかにおいて、
上記係止爪は、上記受体又は蓋体の遊端側に向けて広幅に形成され、その係止力を異なるようにしている竪樋支持具。
【発明の詳細な説明】
【０００１】
【発明の属する技術分野】
本発明は、一般住宅やビルなどの建築物の壁面等に沿って配される竪樋を抱持支承する竪樋支持具に関する。
【０００２】
【従来の技術】
図４は、従来の竪樋支持具を示した斜視図である。
【０００３】
この竪樋支持具１００は、二つ割された受体１０１と蓋体１０２の一端同士を蝶番１０３等で枢着して開閉自在とし、受体１０１の遊端部には係止受部１１１が設けられると共に、蓋体１０２の遊端部には、係止受部１１１に係止可能な係止部１１２が形成され、これら受体１０１と蓋体１０２を竪樋に閉め付けて抱持するようにしている。
【０００４】
受体１０１には、これを建物の壁等に固着するための取付体１２１が延設されているが、この取付体１２１は、どのような構造であっても構わない。
【０００５】
蓋体１０２の係止部１１２は、鋸刃状に形成されており、そこには同形状の複数の係止爪１１２ａ、１１２ｂ、１１２ｃ…が等間隔で形成されている。
【０００６】
この竪樋支持具１００は、その受体１０１に竪樋を嵌め込み、蓋体１０２を閉止すれば、蓋体１０２の最遊端側に位置された係止爪１１２ａが、係止受部１１１に先ず係止される。
【０００７】
このとき、竪樋に対しての閉め付けが緩いようであれば、蓋体１０２を更に閉め込めば、
隣接された次の係止爪１１２ｂが係止受部１１１に係止される。
【０００８】
このようにして、蓋体１０２が竪樋に密着するまで閉め込めば、竪樋の口径に応じて、これを閉め付けて抱持できるのである。
【０００９】
【発明が解決しようとする課題】
ところで、竪樋の口径が大きくなれば、これに伴う負荷荷重も当然大きくなるため、竪樋の口径に応じた係止力（竪樋を閉め付ける力）が必要となる。
【００１０】
しかし、従来の竪樋支持具１００は、複数の係止爪１１２ａ、１１２ｂ、１１２ｃ…が等間隔で形成されているだけであって、竪樋の口径に応じて、これを閉め付けて抱持できるものであるが、その係止力は、一定である。
【００１１】
そのため、口径の異なる竪樋に対して同じ係止力で閉め付けることしかできず、特に、口径の大きな竪樋に対しての係止力が弱くて、竪樋が外れ易く、危険であるという問題があった。
【００１２】
本発明は、このような事情に鑑みて、竪樋の口径に応じた適切な係止力を与えることができる竪樋支持具を提供することを目的としている。
【００１３】
【課題を解決するための手段】
上記目的を達成するため、
請求項１に係る竪樋支持具は、二つ割された受体と蓋体の一端同士を枢着して開閉自在とし、上記受体又は蓋体の何れか一方の遊端部には係止受部が設けられ、且つ、他方には、上記係止受部に係止可能な係止部が形成されてなり、これら受体と蓋体を竪樋に閉め付けて抱持させる構造の竪樋支持具において、上記係止部は、上記係止受部に対して係止力の異なる複数の係止爪を設け、上記蓋体を閉め込む程、その係止力を弱めるようにしたことを特徴にしている。
【００１４】
このものでは、受体又は蓋体を閉め込む程、その係止力を弱めるようにした係止力の異なる複数の係止爪を設けているので、竪樋の口径に応じた適切な係止力を与えることができ、特に、口径の大きな竪樋に対しての係止力が弱まることなく、竪樋を確実に抱持できる。
【００１５】
請求項２に係る竪樋支持具は、請求項１において、上記係止爪は、上記受体又は蓋体の遊端側に向けて多数に形成され、その係止力を異なるようにしている。
【００１６】
このものでは、係止爪の数を変更することによって、その係止力を異なるようにしている。
請求項３に係る竪樋支持具は、請求項１又は２の何れかにおいて、上記係止爪は、上記受体又は蓋体の遊端側に向けて広幅に形成され、その係止力を異なるようにしている。
【００１７】
このものでは、係止爪の幅を変更することによって、その係止力を異なるようにしている。
【発明の実施の形態】
以下、本発明に係る竪樋支持具Ａを図面とともに説明する。
【００１８】
図１は、本発明に係る竪樋支持具の一実施例を示す斜視図である。
【００１９】
この竪樋支持具Ａは、二つ割された受体１と蓋体２の一端同士を蝶番３等で枢着して開閉自在とし、受体１の遊端部には係止受部４が設けられると共に、蓋体２の遊端部には、係止受部４に係止可能な係止部５が形成され、これら受体１と蓋体２を竪樋Ｔに閉め付けて抱持するようにしている。
【００２０】
以下、各部材について詳説する。
【００２１】
受体１は、帯板を略半円弧状に形成し、その中央には、受体１を建物の壁等に固着するための取付体１１が外方に向けて延設されている。
【００２２】
この取付体１１は、図例のような打込み式の他、壁等からの出具合を調節可能なスライド式のものなど、その構造には限定されない。
【００２３】
受体１の遊端部には、これを外方に折曲した係止受部４を形成している。
【００２４】
また、受体１の適所には、補強用のリブ１２を形成している。
【００２５】
蓋体２は、帯板を略半円弧状に形成し、その適所には、補強用のリブ２１を形成している。
【００２６】
蓋体２の遊端部に形成された係止部５には、係止受部４に対して係止力の異なる複数の係止爪５１、５２、５３を設け、蓋体２を閉め込む程、その係止力を弱めるようにしている。
【００２７】
本実施例での係止部５は、蓋体２の遊端側に向けて多数となるような３種類の係止爪５１、５２、５３を形成することで、その係止力を異なるようにしている。
【００２８】
具体的には、係止爪５１は、１本の爪が形成され、係止爪５２と係止爪５３は、何れも２本の爪を形成している。
【００２９】
ここでは、係止爪５２と係止爪５３は、同数の爪であるが、遊端側に形成されている係止爪５３は、係止爪５２よりも広間隔に形成されているので、同数であっても係止爪５３の方が係止力を高めることができる。
【００３０】
また、係止爪５１、５２、５３の数は、図例の数に限定されるものではなく、要するに、
蓋体２の遊端側に向けて係止力が強くなるように複数の係止爪５１、５２、５３…が形成されていれば良い。
【００３１】
また、本実施例においては、受体１に係止受部４、蓋体２に係止部５及び係止爪５１、５２、５３…を形成しているが、受体１に係止部５及び係止爪５１、５２、５３…、蓋体２に係止受部４を形成しても良い。
【００３２】
図２は、本発明の係止部の他の実施例を示す部分斜視図である。
【００３３】
すなわち、図２で示す係止部５は、蓋体２の遊端側に向けて広幅となるような３種類の係止爪５４、５５、５６を形成することで、その係止力を異なるようにしている。
【００３４】
具体的には、係止爪５４、係止爪５６、係止爪５５は、３：４：５の比率にして蓋体２の遊端側に向けて広幅に形成している。
【００３５】
このものでは、図１のように数を変更させたものではなく、爪の幅を変更させることによって、蓋体２の遊端側に向けて係止力を順に強くできる。
【００３６】
また、本実施例においては、蓋体２に係止部５及び係止爪５４、５６、５５…を形成しているが、受体１にこれら係止部５及び係止爪５４、５６、５５…を形成することも可能である。
【００３７】
図３（ａ）〜（ｄ）は、本発明の竪樋支持具の要部を概略した動作図である。
【００３８】
上記の如く構成した本発明に係る竪樋支持具Ａは以下の要領で動作する。
【００３９】
ここでは、図１の動作を例示し、その共通する部材については、共通の番号を付することで説明を省略し、これら図１、図３に基づき説明する。
【００４０】
先ず、取付体１１を壁面等の適所に位置づけ、受体１の出具合を調節しながら、これを打ち込み、受体１を壁面等に固定する。
【００４１】
この固定された受体１に竪樋Ｔを嵌め込み、蓋体２を閉止すれば、この蓋体２の最遊端側に位置された最初の係止爪５３が、係止受部４に係止される〔図３（ａ）、（ｂ）参照〕。
【００４２】
このとき、係止受部４に対する係止力は最大となり、口径の大きな竪樋に対して閉め付けることができる。
【００４３】
次に、竪樋Ｔの口径が小さいときには、蓋体２が竪樋Ｔに密着するまで更に閉め込めば、隣接された他の係止爪５２、５１が、係止受部４に係止される〔図３（ｃ）、（ｄ）参照〕。
【００４４】
このとき、係止受部４に対する係止力は、図３（ｂ）で示したときよりも弱まり、口径の小さな竪樋に対して閉め付けることができる。
【００４５】
このように、本発明によれば、蓋体２を閉め込む程、その係止力を弱めるようにした係止力の異なる複数の係止爪５１、５２、５３を設けているので、竪樋Ｔの口径に応じた適切な係止力を与えることができ、特に、口径の大きな竪樋Ｔに対しての係止力が弱まることなく、竪樋Ｔを確実に抱持できる。
【００４６】
【発明の効果】
本発明によれば、次のような効果がある。
【００４７】
請求項１に係る竪樋支持具によれば、蓋体を閉め込む程、その係止力を弱めるようにした係止力の異なる複数の係止爪を設けているので、竪樋の口径に応じた適切な係止力を与えることができ、特に、口径の大きな竪樋に対しての係止力が弱まることなく、竪樋を確実に抱持できる。
【００４８】
請求項２に係る竪樋支持具によれば、係止爪の数を変更することによって、その係止力を異なるようにできる。
請求項３に係る竪樋支持具によれば、係止爪の幅を変更することによって、その係止力を異なるようにできる。
【図面の簡単な説明】
【図１】本発明に係る竪樋支持具の一実施例を示す斜視図
【図２】本発明の係止部の他の実施例を示す部分斜視図
【図３】（ａ）〜（ｄ）は、本発明の竪樋支持具の要部を概略した動作図
【図４】従来の竪樋支持具を示した斜視図
【符号の説明】
Ａ    竪樋支持具
Ｔ    竪樋
１    受体
２    蓋体
４    係止受部
５    係止部
５１〜５６  複数の係止爪
【図１】
0003548165.tif 000002
【図２】
0003548165.tif 000003
【図３】
0003548165.tif 000004
【図４】
0003548165.tif 000005